(57)【要約】  組み付け工数を低減する、及び、流体が漏れる虞を低減する。  複合弁（１９）は、弁体（３１，４１）が直動運動する複数の弁（３０，４０）を備え、複数の弁（３０，４０）に共有されるボディ（１１）と、ボディ（１１）の複数位置に穿孔されて、互いに平行に延びる複数の平行孔（２１，２２）と、複数の平行孔（２１，２２）の途中部分を絞ってなる複数の弁口（２５，２６）と、複数の平行孔（２１，２２）のうち弁口（２５，２６）より一方側部分に含まれ、弁体（３１，４１）を収容する複数の弁室（２３，２４）と、複数の平行孔（２１，２２）のうち弁口（２５，２６）より他方側部分を含み、一端がボディ（１１）の外面に開口する複数の第１ポート（１５）と、複数の弁室（２３，２４）と交差する連絡孔（２７）と、連絡孔（２７）のうち弁室（２３，２４）同士の間部分に交差し、一端がボディ（１１）の外面に開口する第２ポート（１６）と、を有する。
2020100201.tif 000002
【特許請求の範囲】
【請求項１】
弁体が直線運動する複数の弁を備える複合弁であって、  前記複数の弁に共有されるボディと、  前記ボディの複数位置に穿孔されて、互いに平行に延びる複数の平行孔と、  前記複数の平行孔の途中部分を絞ってなる複数の弁口と、  前記複数の平行孔のうち前記弁口より一方側部分に含まれ、前記弁体を収容する複数の弁室と、  前記複数の平行孔のうち前記弁口より他方側部分を含み、一端が前記ボディの外面に開口する複数の第１ポートと、  前記複数の前記弁室と交差する連絡孔と、  前記連絡孔のうち前記弁室同士の間部分に交差し、一端が前記ボディの外面に開口する第２ポートと、有する複合弁。
【請求項２】
前記連絡孔の端部に位置して前記ボディの外面に開口し、センサ又は逆止弁を取り付けるための装着部が設けられている請求項１に記載の複合弁。
【請求項３】
前記装着部は、前記ボディの外面のうち前記複合弁の使用時に上側を向く面に開口し、  前記装着部に、前記連絡孔に流体をチャージするために前記逆止弁が取り付けられている請求項２に記載の複合弁。
【請求項４】
前記第２ポートは、前記複数の平行孔と平行に配置されかつ、内部にフィルタが嵌合されている請求項１乃至３の何れか１の請求項に記載の複合弁。
【請求項５】
前記フィルタは、  一端有底、他端開放の筒状をなしたフィルタ本体と、  前記フィルタ本体の他端部に固定され、前記第２ポートの内面に当接して前記フィルタ本体を前記第２ポートの内面から浮かせた状態に保持する嵌合リングと、を有する請求項４に記載の複合弁。
【請求項６】
前記複数の弁室のうち前記弁口と反対側で前記ボディの外面に開口する複数の外面開口と、  前記複数の弁に設けられて、前記外面開口内に嵌合する複数の蓋部材とを備え、  前記複数の蓋部材は、前記ボディのうち同じ方向を向いた面に配置されている請求項１乃至５の何れか１の請求項に記載の複合弁。
【請求項７】
前記第２ポートは、前記複数の平行孔と平行に配置され、  前記複数の第１ポートには、前記複数の平行孔と直交して延び、一端が前記ボディの外面に開口する直交孔が含まれている請求項６に記載の複合弁。
【請求項８】
前記複数の弁室のうち前記弁口と反対側で前記ボディの外面に開口する複数の外面開口と、  前記複数の弁に設けられて、前記外面開口内に嵌合する複数の蓋部材とを備え、  前記複数の蓋部材は、前記ボディのうち反対側を向いた２面に分けて配置されている請求項１乃至５の何れか１の請求項に記載の複合弁。
【請求項９】
前記第２ポートは、前記複数の平行孔と平行に配置され、  前記複数の第１ポートには、前記複数の平行孔と直交して延び、一端が前記ボディの外面に開口する直交孔を有するエルボタイプの第１ポートと、前記複数の平行孔が前記ボディの外面に開口する位置まで延びてなるストレートタイプの第１ポートとが含まれている請求項６乃至８の何れか１の請求項に記載の複合弁。
【請求項１０】
前記連絡孔は、前記ストレートタイプの第１ポートを含む前記平行孔から前記ボディの外面まで延びて開口し、その開口がセンサ又は逆止弁で閉塞されている請求項９に記載の複合弁。
【発明の詳細な説明】
【技術分野】
【０００１】  本開示は、複数の弁を備える複合弁に関する。
【背景技術】
【０００２】  特許文献１には、複数の弁が配管と継手を介して接続されている構造体が記載されている。
【先行技術文献】
【特許文献】
【０００３】
【特許文献１】特開２０１６−１０７７４５号公報（段落［００４５］、図１）
【発明の概要】
【発明が解決しようとする課題】
【０００４】  特許文献１のように、複数の弁を備える構造体では、それら弁、配管及び継手の接続箇所が多いために、それらの接続作業及びシール作業に手間がかかると共に、流体が漏れるおそれも高かった。そのため、複数の弁を備える構造体に対して、組み付け工数の低減と流体が漏れるおそれの低減とが望まれている。
【課題を解決するための手段】
【０００５】  上記課題を解決するためになされた請求項１の発明は、弁体が直線運動する複数の弁を備える複合弁であって、前記複数の弁に共有されるボディと、前記ボディの複数位置に穿孔されて、互いに平行に延びる複数の平行孔と、前記複数の平行孔の途中部分を絞ってなる複数の弁口と、前記複数の平行孔のうち前記弁口より一方側部分に含まれ、前記弁体を収容する複数の弁室と、前記複数の平行孔のうち前記弁口より他方側部分を含み、一端が前記ボディの外面に開口する複数の第１ポートと、前記複数の前記弁室と交差する連絡孔 と、前記連絡孔のうち前記弁室同士の間部分に交差し、一端が前記ボディの外面に開口する第２ポートと、有する複合弁である。
【図面の簡単な説明】
【０００６】
【図１】本開示の第１実施形態に係る複合弁の斜視図
【図２】複合弁の底面図
【図３】複合弁のＡ−Ａ断面図
【図４】開状態の電磁弁の拡大断面図
【図５】開状態の膨張弁の拡大断面図
【図６】フィルタの拡大断面図
【図７】第２実施形態に係る複合弁の斜視図
【図８】複合弁の底面図
【図９】複合弁のＢ−Ｂ断面図
【図１０】第３実施形態に係る複合弁の斜視図
【図１１】複合弁の底面図
【図１２】複合弁のＣ−Ｃ断面図
【発明を実施するための形態】
【０００７】  ［第１実施形態］  以下、図１〜６を参照しつつ、本実施形態の複合弁１０について説明する。図１に示される本実施形態の複合弁１０は、例えば、カーエアコンの冷媒回路に設けられ、配管に接続される。
【０００８】  図１及び図２に示されるように、複合弁１０は、縦長の長方形状となったボディ１１を有し、ボディ１１内に設けられた流路内に複数の弁体を備えてなる。なお、本実施形態の例では、複合弁１０の使用時（即ち、複合弁１０が配管や接続機器等の接続対象に接続された際）には、ボディ１１の長手方向が上下方向（鉛直方向）となるように配置される。以下では、ボディ１１において、使用時に鉛直方向上側を向く面を上面１１Ｔ、下側を向く面を下面１１Ｂ、ということとする。また、図３において、紙面に垂直な方向を前後方向、横方向を左右方向ということとし、ボディ１１の外面のうち、左側、右側を向く面を、それぞれ左面１１Ｌ、右面１１Ｒということとする。
【０００９】  図３に示されるように、ボディ１１には、左右方向に延びて互いに平行になった第１の平行孔２１と第２の平行孔２２が備えられている。第１と第２の平行孔２１，２２は、左面１１Ｌと直交していると共に、前後方向が略同じ位置に配置されている。第１平行孔２１は、第２平行孔２２よりも上側に配置されていると共に、ボディ１１を貫通している。第１の平行孔２１の一端は、ボディ１１の左面１１Ｌに開口し、第１の平行孔２１の他端は、ボディ１１の右面１１Ｒに開口している。また、第２の平行孔２２の一端は、ボディ１１の左面１１Ｌに開口し、第２の平行孔２２の他端は、ボディ１１の右端寄り位置まで延び、ボディ１１の下面１１Ｂに開口した下側直交孔２９と直交している。
【００１０】  なお、ボディ１１は、例えば、長方形状の部材に平行孔２１，２２等の複数の孔が穿孔されることで形成される。このような長方形状の部材は、例えば、樹脂又は金属で構成され、一体成形、一体鋳造 、鍛造等によって形成することができる。
【００１１】  第１と第２の平行孔２１，２２には、それぞれの途中部分が絞られてなる第１弁口２５と第２弁口２６が設けられている。本実施形態では、第１弁口２５は、第２弁口２６より左側に配置されている。なお、第１弁口２５は、第１の平行孔２１の内面に取り付けられてその内面から突出する部材によって形成されてもよい。第２弁口２６についても同様である。
【００１２】  各平行孔２１，２２内には、それぞれ第１弁口２５と第２の弁口２６を開閉する第１弁体３１と第２弁体４１とが設けられている。具体的には、第１弁体３１は、第１弁口２５より右側に配置され、第１の平行孔２１の延在方向（即ち、左右方向）に直線運動して、弁口２５を閉塞する閉位置（図３参照）と、第１弁口２５を開放する開位置（図４参照）とに配置される。第２弁体４１は、第２弁口２６より左側に配置され、第２の平行孔２２の延在方向（即ち、左右方向）に直線運動して、弁口２６を閉塞する閉位置（図３参照）と第２弁口２６を開放する開位置（図５参照）とに配置される。即ち、本実施形態では、第１弁体３１と第２弁体４１は、互いに平行な方向に移動する。
【００１３】  第１と第２の平行孔２１，２２には、それぞれ第１弁体３１と第２弁体４１を直線運動可能に収容する第１弁室２３と第２弁室２４が設けられている。具体的には、第１弁室２３は、第１の平行孔２１のうち第１弁口２５より右側に拡径されて右面１１Ｒまで延びる拡径部により形成され、第１の平行孔２１の右端の外面開口に嵌合する蓋部材としての第１の弁体ホルダ３２により、第１弁室２３の右端が閉じられている。また、第２弁室２４は、第２の平行孔２２のうち第２弁口２６より左側に拡径されて左面１１Ｌまで延びる拡径部により形成され、第２の平行孔２２の左端の外面開口に嵌合する蓋部材としての第２の弁体ホルダ４２により、第２弁室２４の左端が閉じられている。第１と第２の弁体ホルダ３２，４２は、それぞれ第１弁体３１と第２弁体４１を上記直線運動可能に支持している。また、第１と第２の弁体ホルダ３２，４２は、弁体３１，４１をそれぞれ移動させるための機構（例えば、電磁コイル３４，４４等）を内部に備えていて、ボディ１１から張り出している。
【００１４】  第１の平行孔２１のうち第１弁口２５から左側に延びるストレートタイプの流路と、第２の平行孔２２のうち第２弁口２６より右側の部分及び下側直交孔２９からなるエルボタイプの流路とは、配管や接続機器等の接続対象に接続される１対の第１ポート１５を構成している（図２及び図３参照）。なお、１対の第１ポート１５は、両方ともストレートタイプの流路であってもよいし、両方ともエルボタイプの流路であってもよい。
【００１５】  図３に示されるように、ボディ１１には、第１と第２の平行孔２１，２２に直交する（具体的には、第１及び第２弁室２３，２４に直交する）連絡孔２７が設けられている。連絡孔２７は、上下方向に延びて左面１１Ｌ及び右面１１Ｒと平行に配置され、連絡孔２７の上端がボディ１１の上面１１Ｔに開口すると共に、連絡孔２７の下端が第２の平行孔２２まで延びている。上述の第１弁口２５と第２弁口２６は、それぞれ連絡孔２７の内面における左側部分と右側部分とに開口している。第１弁口２５と第２弁口２６の開口縁には、それぞれ第１弁体３１、第２弁体４１が宛がわれる弁座２５Ｚ、２６Ｚが形成されている（図４及び図５参照）。
【００１６】  連絡孔２７のうちボディ１１に開口する上端部には、センサ又は逆止弁を取り付けるための装着部２８が形成されている。装着部２８に取り付けられるセンサとしては、例えば、圧力センサ、温度センサ、粉塵センサ等が挙げられる。装着部２８に取り付けられる逆止弁としては、チャージ弁、リリーフ弁等が挙げられる。なお、装着部２８は、例えば、センサ又は逆止弁に設けられた雄螺子部と螺合する雌螺子部を備えている。本実施形態では、装着部２８には、連絡孔２７に流体をチャージするためにチャージ弁２０が取り付けられる。
【００１７】  また、ボディ１１には、連絡孔２７に直交すると共に第１及び第２の平行孔２１，２２と平行な横孔により、第２ポート１６が形成されている。第２ポート１６の一端部は、連絡孔２７のうち第１弁室２３と第２弁室２４の間の部分に連絡すると共に、第２ポート１６の他端部は、ボディの右面１１Ｒに開口している。第２ポート１６は、配管や接続機器等の接続対象に接続される（図２及び図３参照）。なお、第２ポート１６の一端（左端）は、連絡孔２７よりも左側まで延び、円形凹部１６Ｕを形成している。
【００１８】  図６に示されるように、第２ポート１６の内部には、フィルタ５０が嵌合されている。具体的には、フィルタ５０は、一端有底、他端開放の筒状をなしたフィルタ本体５１を有し、軸方向に長くなっている。また、フィルタ５０は、フィルタ本体５１の他端部に固定された嵌合リング５２を有している。嵌合リング５２は、フィルタ本体５１から径方向外側に周方向全体に亘って張り出していて、第２ポート１６の内面に当接し、フィルタ本体５１を第２ポート１６の内面から浮かせた状態に保持する。なお、フィルタ本体５１の一端部は、上述の円形凹部１６Ｕ内に受容されていると共に、嵌合リング５２は、第２ポート１６のうち連絡孔２７よりも右側の部分に配置されている。
【００１９】  本実施形態では、第１弁体３１と第１の弁体ホルダ３２とボディ１１とは、電磁弁３０を構成している。また、第２弁体４１と第２の弁体ホルダ４２とボディ１１とは、膨張弁４０を構成している。即ち、複合弁１０は、複数の弁（電磁弁３０と膨張弁４０）がボディ１１を共有している構成となっている。なお、電磁弁３０は、パイロット式となっていて、パイロット孔３６とパイロット弁体３７と連通路３８とを有する。パイロット孔３６は、第１弁体３１を直線運動の方向に貫通し第１弁口２５に連通する。パイロット弁体３７は、電磁コイル３４により第１弁体３１と同軸上を直線運動し（図４参照）、パイロット孔３６を第１弁口２５と反対側から開閉する。連通路３８は、第１弁体３１を貫通し、パイロット弁体３７がパイロット孔３６から離れたときに、パイロット孔３６のうち第１弁口２５と反対側の開口と連絡孔２７とを連通させる。
【００２０】  なお、本実施形態では、第２ポート１６が冷媒等の流体を流入するための入力ポートとなっていると共に、第１ポート１５が流体を流出させるための出力ポートとなっている。第２ポート１６から流入した流体は、フィルタ５０の側面（詳細には、フィルタ本体５１の側面）を通過して連絡孔２７へと流入する。その後、流体は、第１弁口２５と第２弁口２６のうち、電磁弁３０、膨張弁４０によって開放状態となっている弁口を通過して、第１ポート１５からボディ１１の外部へと流出する。
【００２１】  ところで、本実施形態では、電磁弁３０と膨張弁４０とでは、第１と第２の平行孔２１，２２に挿入される部分の長さが異なっている。このため、第１と第２の平行孔２１，２２では、ボディ１１の外面から、第１弁口２５までの深さと第２弁口２６までの深さとを、異ならせる必要がある。ここで、本実施形態のように、連絡孔２７の内面を利用して第１弁口２５，第２弁口２６を設けるときには、ボディ１１の同じ面（左面１１Ｌ又は右面１１Ｒ）に第１と第２の平行孔２１，２２を開口させる場合、それら開口が形成される部分同士の間に段差部を設ける等して、該開口同士の左右方向の位置をずらす必要がある（後述の第２実施形態参照。図９）。これに対し、本実施形態では、第１の平行孔２１と第２の平行孔２２が、互いに反対側の面（右面１１Ｒと左面１１Ｌ）に開口している。従って、ボディ１１の外面に上記段差部を設ける必要がなくなり、ボディ１１を直方体状のような簡単な形状にすることができる。これにより、本実施形態の複合弁１０では、ボディ１１の製造が容易となる。
【００２２】  本実施形態の複合弁１０では、複数の弁でボディ１１が共有されると共に、弁体３１，４１をそれぞれ収容する弁室２３，２４同士がボディ１１内の連絡孔２７で連絡しているので、複数の弁３１，４１同士を接続する従来の継手や配管を廃止することができ、組み付け工数の低減と、流体が漏れる虞の低減を図ることができる。また、一般に、直線運動する弁体３１，４１を有する構造は、弁体３１，４１の直線運動の方向に嵩張る構造となるが、本実施形態では、複数の弁体３１，４１の移動方向が互いに平行になっているので、複合弁１０をコンパクトにすることが可能となる。
【００２３】  また、本実施形態の複合弁１０では、ボディ１１の外面において連絡孔２７を穿孔する際に形成される開口を、センサ又は逆止弁を取り付けるための装着部２８としたので、連絡孔２７の開口を単に塞ぐだけの構造に比べて、連絡孔２７の開口を有効利用することができる。この場合、装着部２８を、ボディ１１の外面のうち複合弁１０の使用時に上側を向く面（本実施形態の例では、上面１１Ｔ）に配置し、装着部２８に、連絡孔２７に流体をチャージするためのチャージ弁２０を取り付けてもよい。これにより、チャージ弁２０から流体をチャージし易くなると共に、チャージ弁２０の内部に汚れが堆積する虞を低減することが可能となる。
【００２４】  本実施形態の複合弁１０では、第２ポート１６の内部には、フィルタ５０が嵌合されていて、その第２ポート１６が平行孔２１，２２と平行に配置されている。この構成によれば、フィルタ５０が第２ポート１６の延在方向に長い場合であっても、複合弁１０をコンパクトにすることが可能となる。また、本実施形態では、フィルタ本体５１の他端部に嵌合リング５２を固定し、嵌合リング５２によってフィルタ本体５１を第２ポート１６の内面から浮かせた状態に保持する。これにより、フィルタ本体５１と第２ポート１６の内面との間に隙間を形成することができ、フィルタ５０の側面を流体が通過し易くなる。
【００２５】  なお、本明細書において、「平行」とは、厳密に平行な状態だけでなく、５度以下の角度で互いに傾斜する状態をも意味する。また、「直交」とは、８５度以上９５度以下の角度で交差することを意味し、厳密に９０度で交差する場合に限定されない。
【００２６】  ［第２実施形態］  以下、図７〜図９を参照しつつ、第２実施形態について説明する。本実施形態の複合弁１０Ｖでは、ボディ１１Ｖの形状が上記第１実施形態と異なると共に、第１の平行孔２１と第２の平行孔２２の開口の向きが同じ側（左側）になっている点が、上記第１実施形態と異なる。ボディ１１Ｖは、左面１１Ｌの上下方向の途中位置に段差部１２Ｌが設けられた形状となっている。具体的には、段差部１２Ｌは、第１の平行孔２１の左端開口と第２の平行孔２２の左端開口の間に配置され、左面１１Ｌのうち段差部１２Ｌよりも上側部分が、左側に張り出した張出面１１ＬＨとなっている。なお、右面１１Ｒの上下方向の途中位置にも、段差部１２Ｒが形成され、右面１１Ｒのうち段差部１２Ｒよりも上側部分が陥没して陥没面１２ＲＫが形成されている。なお、ボディ１１Ｖは、例えば、長方形状の部材を切削して段差部１２Ｌ、段差部１２Ｒを形成したものに、平行孔２１等の複数の孔を穿孔することで形成することができる。
【００２７】  また、本実施形態では、第１の平行孔２１の開口の向きが、第１実施形態と異なるのに伴って、第１弁口２５、第１弁体３１、第１弁室２３、第１弁体ホルダ３２の配置も、第１実施形態と左右反対となっている。
【００２８】  本実施形態によっても、上記第１実施形態と同様の効果を奏することができる。ここで、電磁弁３０と膨張弁４０とでは、第１と第２の平行孔２１，２２に挿入される部分の長さが異なるため、第１と第２の平行孔２１，２２では、左端から第１弁口２５までの深さと、左端から第２弁口２６までとの深さを異ならせる必要がある。これに対し、本実施形態のように、連絡孔２７の内面を利用して第１弁口２５，第２弁口２６を設けるときには、第１弁口２５と第２弁口２６の左右方向の位置は略同じとなる。このため、左面１１Ｌが平坦となっていると、電磁弁３０と膨張弁４０の両方を備えることが難しくなる。これに対して、本実施形態では、左面１１Ｌのうち、第１と第２の平行孔２１，２２の左端開口の間に、段差部１２Ｌが設けられているので、第１と第２の平行孔２１，２２において、左端から第１弁口２５までと左端から第２弁口２６までとの深さを容易に異ならせることができる。これにより、互いに異なる電磁弁３０と膨張弁４０を、各弁体ホルダ３２，４２が同じ側に配置された状態で備えることができるので、複合弁１０のコンパクト化を図ることが可能となる。
【００２９】  ［第３実施形態］  以下、図１０〜図１２を参照しつつ、第３実施形態について説明する。本実施形態の複合弁１０Ｗは、上記第２実施形態に対して、略直方体状のボディ１１Ｗを有している点が異なると共に、複数の弁として同じ１対の膨張弁４０Ｗを有している点が異なる（即ち、同じ１対の弁体４１Ｗ、弁体ホルダ４２Ｗを有している点が異なる）。また、図１２に示されるように、第２実施形態に対して、上側の第１ポート１５の形状が異なる。具体的には、上側の第１ポート１５は、下側の第１ポート１５と同様のエルボタイプとなっている。詳細には、第１の平行孔２１の右端が、ボディ１１Ｗの左右方向の途中位置に配置され、第１の平行孔２１の右端から上方には、第１の平行孔２１と直交する上側直交孔２９Ｗが延びている。そして、第１の平行孔２１のうち第１弁口２５よりも右側の部分と、上側直交孔２９Ｗとから、本実施形態の上側の第１ポート１５が構成されている。
【００３０】  本実施形態の膨張弁４０Ｗでは、上記第１及び第２実施形態の膨張弁４０と同様に、弁体４１Ｗが直線運動して弁口２５Ｗを開閉する。図１２に示す例では、上側に配置された弁体４１Ｗが弁口２５Ｗを閉塞する閉位置に配置されていると共に、下側に配置された弁体４１Ｗが弁口２５Ｗを開放する開位置に配置されている。なお、本実施形態では、第１の平行孔２１と第２の平行孔２２同士、第１ポート１５同士、は上下対称に配置されている。
【００３１】  また、本実施形態では、連絡孔２７における上面１１Ｔの開口の装着部２８には、封止栓２０Ｗが取り付けられている。なお、装着部２８には、センサ又は逆止弁が装着されていてもよい。
【００３２】  本実施形態によっても、上記第１実施形態と同様の効果を奏することができる。本実施形態では、複合弁１０Ｗに設けられる複数の膨張弁４０Ｗが同じ構成となっているので、第１と第２の平行孔２１，２２の開口が同じ面（本例では、左面１１Ｌ）に配置されていても、それら開口の形成部分を面一とすることができる。これにより、ボディ１１Ｗを、長方形状のように単純な形状とすることが可能となるので、複合弁１０Ｗの製造が容易となる。
【００３３】  ［他の実施形態］  （１）上記実施形態では、複合弁１０を、カーエアコン用の冷媒回路に適用した構成を示したが、複合弁１０の用途は特に限定されず、流体回路に設けられればよく、例えば、熱媒回路に適用されてもよい。
【００３４】  （２）上記実施形態では、第１ポート１５が出力ポート、第２ポート１６が入力ポートとなっていたが、逆の構成でもよい。即ち、第１ポート１５が入力ポート、第２ポート１６が出力ポートとなっていてもよい。
【００３５】  （３）上記実施形態では、第１弁室２３と第２弁室２４を連絡する連絡孔２７が、第１と第２の平行孔２１，２２対して直交していたが、傾斜していてもよい。
【００３６】  （４）上記実施形態において、第２ポート１６が、第１と第２の平行孔２１，２２に交差する方向に延びていてもよい。
【００３７】  （５）上記実施形態では、第１と第２の平行孔２１，２２が、平行となっていが、互いに傾斜する方向に延びている構造とすることもできる。この場合、弁体３１，４１は、互いに傾斜する方向に直線運動することとなる。また、この場合、第１と第２の平行孔２１，２２の開口が同じ側（例えば、左側）を向いていてもよいし、反対側（例えば、左側と右側）を向いていてもよい。
【００３８】  （６）上記実施形態では、弁体３１，４１が直線運動する弁（電磁弁３０，膨張弁４０）が設けられていたが、この代わりに、弁体が回転運動する弁（例えば、ロータリー弁）が設けられていてもよい。
【００３９】  （７）上記実施形態では、ボディ１１は、複合弁１０の使用時に、第１と第２の平行孔２１，２２が左右方向（水平方向）に延びるように配置されていたが、第１と第２の平行孔２１，２２が上下方向（鉛直方向）に延びるように又は上下方向に対して傾斜する方向に延びるように配置されていてもよい。また、上記実施形態では、ボディ１１は、装着部２８がボディ１１のうち上側を向く面に開口するように配置されたが、装着部２８がボディ１１のうち下側を向く面又は水平方向を向く面に開口するように配置されてもよい。なお、装着部２８に逆止弁としてのチャージ弁が取り付けられる場合には、装着部２８の開口は、上側を向く面に配置されることが好ましい。
【符号の説明】
【００４０】  １０    複合弁  １１    ボディ  １５    第１ポート  １６    第２ポート  ２１    第１の平行孔  ２２    第２の平行孔  ２７    連絡孔
【図１】
2020100201.tif 000003
【図２】
2020100201.tif 000004
【図３】
2020100201.tif 000005
【図４】
2020100201.tif 000006
【図５】
2020100201.tif 000007
【図６】
2020100201.tif 000008
【図７】
2020100201.tif 000009
【図８】
2020100201.tif 000010
【図９】
2020100201.tif 000011
【図１０】
2020100201.tif 000012
【図１１】
2020100201.tif 000013
【図１２】
2020100201.tif 000014
【手続補正書】
【提出日】令和1年11月5日(2019.11.5)
【手続補正１】
【補正対象書類名】特許請求の範囲
【補正対象項目名】全文
【補正方法】変更
【補正の内容】
【特許請求の範囲】
【請求項１】
弁体が直線運動する複数の弁を備える複合弁であって、
前記複数の弁に共有されるボディと、
前記ボディの複数位置に穿孔されて、互いに平行に延びる複数の平行孔と、
前記複数の平行孔の途中部分を絞ってなる複数の弁口と、
前記複数の平行孔のうち前記弁口より一方側部分に含まれ、前記弁体を収容する複数の弁室と、
前記複数の平行孔のうち前記弁口より他方側部分を含み、一端が前記ボディの外面に開口する複数の第１ポートと、
前記複数の前記弁室と交差する連絡孔と、
前記連絡孔のうち前記弁室同士の間部分に交差し、一端が前記ボディの外面に開口する第２ポートと、を有し、
前記連絡孔の端部に位置して前記ボディの外面に開口し、センサ又は逆止弁を取り付けるための装着部が設けられている複合弁。
【請求項２】
前記装着部は、前記ボディの外面のうち前記複合弁の使用時に上側を向く面に開口し、
前記装着部に、前記連絡孔に流体をチャージするために前記逆止弁が取り付けられている請求項１に記載の複合弁。
【請求項３】
前記第２ポートは、前記複数の平行孔と平行に配置されかつ、内部にフィルタが嵌合されている請求項１又は２に記載の複合弁。
【請求項４】
前記フィルタは、
一端有底、他端開放の筒状をなしたフィルタ本体と、
前記フィルタ本体の他端部に固定され、前記第２ポートの内面に当接して前記フィルタ本体を前記第２ポートの内面から浮かせた状態に保持する嵌合リングと、を有する請求項３に記載の複合弁。
【請求項５】
前記複数の弁室のうち前記弁口と反対側で前記ボディの外面に開口する複数の外面開口と、
前記複数の弁に設けられて、前記外面開口内に嵌合する複数の蓋部材とを備え、
前記複数の蓋部材は、前記ボディのうち同じ方向を向いた面に配置されている請求項１乃至４の何れか１の請求項に記載の複合弁。
【請求項６】
前記第２ポートは、前記複数の平行孔と平行に配置され、
前記複数の第１ポートには、前記複数の平行孔と直交して延び、一端が前記ボディの外面に開口する直交孔が含まれている請求項５に記載の複合弁。
【請求項７】
前記複数の弁室のうち前記弁口と反対側で前記ボディの外面に開口する複数の外面開口と、
前記複数の弁に設けられて、前記外面開口内に嵌合する複数の蓋部材とを備え、
前記複数の蓋部材は、前記ボディのうち反対側を向いた２面に分けて配置されている請求項１乃至４の何れか１の請求項に記載の複合弁。
【請求項８】
前記第２ポートは、前記複数の平行孔と平行に配置され、
前記複数の第１ポートには、前記複数の平行孔と直交して延び、一端が前記ボディの外面に開口する直交孔を有するエルボタイプの第１ポートと、前記平行孔が前記ボディの外面に開口する位置まで延びてなるストレートタイプの第１ポートとが含まれている請求項５乃至７の何れか１の請求項に記載の複合弁。
【請求項９】
前記連絡孔は、前記ストレートタイプの第１ポートを含む前記平行孔から前記ボディの外面まで延びて開口し、その開口がセンサ又は逆止弁で閉塞されている請求項８に記載の複合弁。
【手続補正２】
【補正対象書類名】明細書
【補正対象項目名】０００５
【補正方法】変更
【補正の内容】
【０００５】
上記課題を解決するためになされた請求項１の発明は、弁体が直線運動する複数の弁を備える複合弁であって、前記複数の弁に共有されるボディと、前記ボディの複数位置に穿孔されて、互いに平行に延びる複数の平行孔と、前記複数の平行孔の途中部分を絞ってなる複数の弁口と、前記複数の平行孔のうち前記弁口より一方側部分に含まれ、前記弁体を収容する複数の弁室と、前記複数の平行孔のうち前記弁口より他方側部分を含み、一端が前記ボディの外面に開口する複数の第１ポートと、前記複数の前記弁室と交差する連絡孔 と、前記連絡孔のうち前記弁室同士の間部分に交差し、一端が前記ボディの外面に開口する第２ポートと、を有し、前記連絡孔の端部に位置して前記ボディの外面に開口し、センサ又は逆止弁を取り付けるための装着部が設けられている複合弁である。
【手続補正３】
【補正対象書類名】明細書
【補正対象項目名】０００８
【補正方法】変更
【補正の内容】
【０００８】
図１及び図２に示されるように、複合弁１０は、縦長の直方体状となったボディ１１を有し、ボディ１１内に設けられた流路内に複数の弁体を備えてなる。なお、本実施形態の例では、複合弁１０の使用時（即ち、複合弁１０が配管や接続機器等の接続対象に接続された際）には、ボディ１１の長手方向が上下方向（鉛直方向）となるように配置される。以下では、ボディ１１において、使用時に鉛直方向上側を向く面を上面１１Ｔ、下側を向く面を下面１１Ｂ、ということとする。また、図３において、紙面に垂直な方向を前後方向、横方向を左右方向ということとし、ボディ１１の外面のうち、左側、右側を向く面を、それぞれ左面１１Ｌ、右面１１Ｒということとする。
【手続補正４】
【補正対象書類名】明細書
【補正対象項目名】００１０
【補正方法】変更
【補正の内容】
【００１０】
なお、ボディ１１は、例えば、直方体状の部材に平行孔２１，２２等の複数の孔が穿孔されることで形成される。このような直方体状の部材は、例えば、樹脂又は金属で構成され、一体成形、一体鋳造 、鍛造等によって形成することができる。
【手続補正５】
【補正対象書類名】明細書
【補正対象項目名】００１７
【補正方法】変更
【補正の内容】
【００１７】
また、ボディ１１には、連絡孔２７に直交すると共に第１及び第２の平行孔２１，２２と平行な横孔により、第２ポート１６が形成されている。第２ポート１６の一端部は、連絡孔２７のうち第１弁室２３と第２弁室２４の間の部分に連絡すると共に、第２ポート１６の他端部は、ボディ１１の右面１１Ｒに開口している。第２ポート１６は、配管や接続機器等の接続対象に接続される（図２及び図３参照）。なお、第２ポート１６の一端（左端）は、連絡孔２７よりも左側まで延び、円形凹部１６Ｕを形成している。
【手続補正６】
【補正対象書類名】明細書
【補正対象項目名】００２６
【補正方法】変更
【補正の内容】
【００２６】
［第２実施形態］
以下、図７〜図９を参照しつつ、第２実施形態について説明する。本実施形態の複合弁１０Ｖでは、ボディ１１Ｖの形状が上記第１実施形態と異なると共に、第１の平行孔２１と第２の平行孔２２の開口の向きが同じ側（左側）になっている点が、上記第１実施形態と異なる。ボディ１１Ｖは、左面１１Ｌの上下方向の途中位置に段差部１２Ｌが設けられた形状となっている。具体的には、段差部１２Ｌは、第１の平行孔２１の左端開口と第２の平行孔２２の左端開口の間に配置され、左面１１Ｌのうち段差部１２Ｌよりも上側部分が、左側に張り出した張出面１１ＬＨとなっている。なお、右面１１Ｒの上下方向の途中位置にも、段差部１２Ｒが形成され、右面１１Ｒのうち段差部１２Ｒよりも上側部分が陥没して陥没面１２ＲＫが形成されている。なお、ボディ１１Ｖは、例えば、直方体状の部材を切削して段差部１２Ｌ、段差部１２Ｒを形成したものに、平行孔２１等の複数の孔を穿孔することで形成することができる。
【手続補正７】
【補正対象書類名】明細書
【補正対象項目名】００３２
【補正方法】変更
【補正の内容】
【００３２】
本実施形態によっても、上記第１実施形態と同様の効果を奏することができる。本実施形態では、複合弁１０Ｗに設けられる複数の膨張弁４０Ｗが同じ構成となっているので、第１と第２の平行孔２１，２２の開口が同じ面（本例では、左面１１Ｌ）に配置されていても、それら開口の形成部分を面一とすることができる。これにより、ボディ１１Ｗを、直方体状のように単純な形状とすることが可能となるので、複合弁１０Ｗの製造が容易となる。
【手続補正８】
【補正対象書類名】図面
【補正対象項目名】図４
【補正方法】変更
【補正の内容】
【図４】
2020100201.tif 000015
【手続補正９】
【補正対象書類名】要約書
【補正対象項目名】全文
【補正方法】変更
【補正の内容】
【要約】
【要約】
【課題】組み付け工数を低減すること、及び、流体が漏れる虞を低減すること。
【解決手段】複合弁１０は、弁体３１，４１が直動運動する複数の弁３０，４０を備え、複数の弁３０，４０に共有されるボディと、ボディ１１の複数位置に穿孔されて、互いに平行に延びる複数の平行孔２１，２２と、複数の平行孔２１，２２の途中部分を絞ってなる複数の弁口２５，２６と、複数の平行孔２１，２２のうち弁口２５，２６より一方側部分に含まれ、弁体３１，４１を収容する複数の弁室２３，２４と、複数の平行孔２１，２２のうち弁口２５，２６より他方側部分を含み、一端がボディ１１の外面に開口する複数の第１ポート１５と、複数の弁室２３，２４と交差する連絡孔２７と、連絡孔２７のうち弁室２３，２４同士の間部分に交差し、一端がボディ１１の外面に開口する第２ポート１６と、有する。
【選択図】図３
【国際調査報告】
2020100201.tif 000016
2020100201.tif 000017
2020100201.tif 000018
2020100201.tif 000019